(57)【要約】【課題】建築物の間口を最小限度とし車の出入りと人の出入りを確保しつつ、間口の狭い狭小地においても建築を可能とするドア付シャッターを備えた建築物を提供すること。【解決手段】建築物１の外部への開口２に設けられ、シャッター４とドア部５とを有し、前記シャッター４は、前記ドア部５の側方に設けられ、前記ドア部５は、ドア本体５１と、前記シャッター４の一側部を案内する案内手段４１ａを有するドア枠５２を有し、前記ドア部５のドア本体５１の開閉によって前記開口２が部分的に出入可能となり、または、前記シャッター４を開放し前記ドア部５のドア本体５１及びドア枠５２とを開放することにより前記開口２の全部が出入可能となる。【選択図】図２
2010077783.tif 000002
【特許請求の範囲】
【請求項１】
建築物の外部への開口に設けられ、
シャッターとドア部とを有し、
前記シャッターは、前記ドア部の側方に設けられ、
前記ドア部は、ドア本体と、前記シャッターの一側部を案内する案内手段を有するドア枠を有し、
前記ドア部のドア本体の開閉によって前記開口が部分的に出入可能となり、または、前記シャッターを開放し前記ドア部のドア本体及びドア枠とを開放することにより前記開口の全部が出入可能となることを特徴とするドア付シャッターを備えた建築物。
【請求項２】
前記開口の少なくとも一側部には耐震壁が設けられていることを特徴とする請求項１記載のドア付シャッターを備えた建築物。
【請求項３】
前記ドア部は、前記耐震壁側に開放されることを特徴とする請求項１記載のドア付シャッターを備えた建築物。
【請求項４】
前記ドア部は、建築物の内部に開放され、建築物の内部に開放された状態において、建築物内部におけるドア部として機能することを特徴とする請求項１記載のドア付シャッターを備えた建築物。
【請求項５】
前記ドア付シャッターは、前記ドア本体が前記ドア枠に係止されていない状態において前記ドア部を開放不能とし、前記ドア本体が前記ドア枠に係止された状態において前記ドア部を開放可能とするドア部開放制限手段を有していることを特徴とする請求項１記載のドア付シャッターを備えた建築物。
【請求項６】
前記ドア部開放制限手段は、前記ドア部を閉鎖状態又は開放状態にすると前記ドア本体を前記ドア枠との係止を解除可能とすることを特徴とする請求項１記載のドア付シャッターを備えた建築物。
【請求項７】
前記ドア部の開放状態において前記シャッターを下降不能とし、前記ドア部を閉鎖状態にすると前記シャッターを下降可能とするシャッター下降制限手段とを有していることを特徴とする請求項１記載のドア付シャッターを備えた建築物。
【発明の詳細な説明】
【技術分野】
【０００１】  本発明は、ドア付シャッターを備えた建築物に関する。
【背景技術】
【０００２】  図２４及び図２５に示すように、狭小の敷地に建設されている２階建て住宅において、駐車場の面積を確保するために、１階部分をセットバックして２階部分を駐車場の上部に張り出させる構造を有している建築物がある。これら建築物では１階部分の外側に柱Ａ、Ｂを設け、２階部分の荷重を支えている。
【発明の開示】
【発明が解決しようとする課題】
【０００３】  しかし、上記のような建築物においては、１階部分をセットバックするために、１階部分の面積が減少してしまう。また、１階部分の外側に設けた柱Ａ，Ｂによって２階部分の荷重を支えているために、地震等に建築物全体に水平方向における回転力が加わり座屈崩壊する可能性がある。このため、１階部分のセットバックを回避するために、１階部分に車庫を設けることが考えられる。【０００４】  １階部分に車庫を設けた場合、車の出入を行うためのシャッターと、人が出入りするための玄関ドアが必要となるが、シャッターの幅とドアの幅をそれぞれ確保しようとすると、建築物の間口を十分に広く確保しなければならないという問題点がある。このため、狭小地に建設される建築物においては玄関ドアとシャッターを併設するための建築物の十分な間口が確保できないため、１階部分に車庫を設けることは事実上不可能であった。従って、狭小間口の建築物において、十分な耐震性を確保しつつ、玄関ドアとシャッターを備えた車庫スペースとを確保することは、長年に渡り望まれてきたものの、実現することができなかった。【０００５】  本発明は、建築物の間口を最小限度とし車の出入りと人の出入りを確保しつつ、間口の狭い狭小地においても建築を可能とするドア付シャッターを備えた建築物を提供することを目的とする。
【課題を解決するための手段】
【０００６】  本発明に係るドア付シャッターを備えた建築物は、建築物の外部への開口に設けられ、シャッターとドア部とを有し、前記シャッターは、前記ドア部の側方に設けられ、前記ドア部は、ドア本体と、前記シャッターの一側部を案内する案内手段を有するドア枠を有し、前記ドア部のドア本体の開閉によって前記開口が部分的に出入可能となり、または、前記シャッターを開放し前記ドア部のドア本体及びドア枠とを開放することにより前記開口の全部が出入可能となることを特徴とする。【０００７】  さらに、本発明に係るドア付シャッターを備えた建築物は、前記開口の少なくとも一側部には耐震壁が設けられていることが好ましい。【０００８】  さらに、本発明に係るドア付シャッターを備えた建築物は、前記ドア部が、前記耐震壁側に開放されることが好ましい。【０００９】  さらに、本発明に係るドア付シャッターを備えた建築物は、前記ドア部が、建築物の内部に開放され、建築物の内部に開放された状態において、建築物内部におけるドア部として機能することが好ましい。【００１０】  さらに、本発明に係るドア付シャッターを備えた建築物は、前記ドア付シャッターが、前記ドア本体が前記ドア枠に係止されていない状態において前記ドア部を開放不能とし、前記ドア本体が前記ドア枠に係止された状態において前記ドア部を開放可能とするドア部開放制限手段を有していることが好ましい。【００１１】  さらに、本発明に係るドア付シャッターを備えた建築物は、前記ドア部開放制限手段が、前記ドア部を閉鎖状態又は開放状態にすると前記ドア本体を前記ドア枠との係止を解除可能とすることが好ましい。【００１２】  さらに、本発明に係るドア付シャッターを備えた建築物は、前記ドア部の開放状態において前記シャッターを下降不能とし、前記ドア部を閉鎖状態にすると前記シャッターを下降可能とするシャッター下降制限手段を有していることが好ましい。
【発明の効果】
【００１３】  請求項１記載の本発明によれば、ドア部のドア本体の開閉によって開口が部分的に出入可能となり、または、シャッターを開放しドア部のドア本体及びドア枠とを開放することにより開口の全部が出入可能となるため、一の開口にドア部による玄関とシャッターによる車庫の扉の両方の機能をもたせ、且つ、両方の機能を備えるに十分でない幅を有する開口にも、それら機能を実現することが可能となる。【００１４】  さらに、請求項２載の本発明によれば、開口の少なくとも一側部に耐震壁が設けられているため、開口が設けられている建築物の壁面の強度を確保することができ、地震等により建築物全体に水平方向における回転力が加わった場合における座屈崩壊を防止することができる、従って、狭小地における建築物であっても、１階に玄関と車庫の扉を併設しつつ、その耐震性を向上させることができる。【００１５】  さらに、請求項３載の本発明によれば、ドア部が耐震壁側に開放されるため、開口の開放状態におけるドア部を設置するスペースを小さくすることができる。【００１６】  さらに、請求項４記載の本発明によれば、ドア部は建築物の内部に開放され、建築物の内部に開放された状態において、建築物内部におけるドア部として機能するため、開口を開放した状態においても第２の玄関を形成することができ、優れた防犯効果を上げることができる。【００１７】  さらに、請求項５記載の本発明によれば、ドア付シャッターは、ドア本体がドア枠に係止されていない状態においてドア部を開放不能とし、ドア本体がドア枠に係止された状態においてドア部を開放可能とするドア部開放制限手段を有しているため、ドア枠を閉鎖状態から開放状態、あるいは、開放状態から閉鎖状態に移す際に、ドア本体がドア枠から離脱しない。【００１８】  さらに、請求項６記載の本発明によれば、ドア部開放制限手段がドア部を閉鎖状態又は開放状態にするとドア本体をドア枠との係止を解除可能とするため、ドア枠を閉鎖状態から開放状態、あるいは、開放状態から閉鎖状態に移す際に、ドア本体とドア枠の係止状態を維持することができる。【００１９】  さらに、請求項７記載の本発明によれば、ドア部の開放状態においてシャッターを下降不能とし、ドア部を閉鎖状態にするとシャッターを下降可能とするシャッター下降制限手段を有しているため、ドア枠から離脱した状態でのシャッターの下降を防止することができる。
【発明を実施するための最良の形態】
【００２０】  以下、図１ないし図１５を参照しつつ本発明の第１実施形態について詳細に説明する。本実施形態のドア付シャッターを備えた建築物１では、建築物１の外部への開口２に設けられ、シャッター４とドア部５とを有し、前記シャッター４は、前記ドア部５の側方に設けられ、前記ドア部５は、ドア本体５１と、前記シャッター４の一側部を案内する案内手段４１ａを有するドア枠５２を有し、前記ドア部５のドア本体５１の開閉によって前記開口２が部分的に出入可能となり、または、前記シャッター４を開放し前記ドア部５のドア本体５１及びドア枠５２とを開放することにより前記開口２の全部が出入可能となることを特徴とする。【００２１】  図１に示すように、ドア付シャッターを備えた建築物１は２階建ての建築物であり、１階部分の内部が車庫となっており、開口２はその車庫の出入り口であると共に玄関として機能している。開口２の側方には耐震壁３が設けられており、この耐震壁３は２階部分の壁面３ａ（図４参照）の直下に位置する。このため、この耐震壁３は２階部分の荷重を分散させ、建築物１の十分な耐震強度を確保している。そして、開口２にはシャッター４とドア部５が併設されている。このシャッター４は、手動式や電動式等、その駆動の方法は問わない。【００２２】  図２及び図３は、ドア部５のドア５１の開放状態を示している。この状態において、ドア枠５２は閉鎖状態にあり、また、シャッター４も閉鎖状態となっている。この状態においてドア５１は玄関扉としての機能し、このドア５１の開閉操作を行うことにより建築物１への出入りが可能となる。【００２３】  図５ないし図７は、開口２の全開状態を示している。この状態において、ドア本体５１はドア枠５２に係止された状態でドア部５全体が開放状態にあり、また、シャッター４も開放状態になっている。なお、ドア部５は、耐震壁３側に開放されるため、ドア部５の開放状態を維持するためのスペースを必要としない。この状態において開口２は車両の出入が可能となり、車庫の出入り口として機能する。この開口２の開口幅は、シャッター４とドア部５を共に開放した状態においては車両の出入に十分なサイズを有しているが、シャッター４のみを開放しドア部５が閉鎖状態である場合には、車両の出入を行うに十分なサイズを有していない。【００２４】  次に、図８ないし図１１を参照しつつ、ドア部開放制限手段について説明する。ドア枠５２の下端部には、いわゆるフランス落しと呼ばれている金物５２ａが設けられており、その下端５２ｂは、ドア枠５２を閉鎖状態にした際に、孔１２に落とし込まれるようになっている。また、その上端には挿入部５２ｃが形成されている。【００２５】  ドア枠５２の下方には、金物５２ａの上端に対応する位置に、水平方向に移動可能な金物５２ｄが設けられている。この金物５２ｄの右端には当接面５２ｅが、左端には孔部５２ｆが、また中央には付勢部５２ｇがそれぞれ設けられている。当接面５２ｅは、ドア枠５２に対してドア本体５１を閉鎖状態にすると、このドア本体５１の表面によって押され、金物５２ｄを左方へ移動させる。付勢部５２ｇは、ドア本体５１の表面によって当接面５２ｅが押されなくなると、金物５２ｄを右方へ復帰させるための付勢手段である。孔５２ｆは、後述するように金物５２ｄが左方に移動した際に、金物５２ａの挿入部５２ｃが挿入されるようになっている。なお、ドア本体５１の表面によって当接面５２ｅが押されていない状態では、孔５２ｆと挿入部５２ｃの位置が一致せず、金具５２ａを引き上げることはできない。【００２６】  図８及び図１０は、ドア本体５１がドア枠５２に係止されていない状態を示している。この状態においてドア部５は開放不能となる。即ち、ドア本体５１の表面によって当接面５２ｅが押されていないため、孔５２ｆと挿入部５２ｃの位置が一致せず、金具５２ａを引き上げることはできないからである。【００２７】  図９及び図１１は、ドア本体５１がドア枠５２にドア本体５１の鍵部のラチェット（図示せず）により係止された状態を示しており、この状態においてドア部５は開放可能となる。即ち、ドア本体５１の表面が金物５２ｄの当接面５２ｅを押し、金物５２ｄが左方へ移動すると、孔５２ｆと挿入部５２ｃの位置が一致し、金具５２ａを引き上げることできるようになるからである。【００２８】  このように、ドア部開放制限手段により、ドア本体５１をドア枠５２に係止した状態でなければ、ドア枠５２の金物５２ａを操作することができずドア部５全体を回動させることができない。【００２９】  さらに、他のドア部開放制限手段を図１２及び図１３に示す。このドア部開放制限手段は、ドア部５を回動させている際に、ドア本体５１がドア枠５２から離脱することを防止し、ドア部５を閉鎖状態又は開放状態にするとドア本体５１をドア枠５２との係止を解除可能とすることができるようになっている。【００３０】  図１２は、ドア枠５２にドア本体５１が係止されていない状態を示し、図１３は、ドア枠５２にドア本体５１が係止されている状態を示す。ドア枠５２の上方に設けられているロッド５２ｊは、フランス落しと連結されており、フランス落しを引き上げると上方へ移動する。ロッド５２ｊの先端５２ｋの直上には、水平方向に移動する閉鎖部材５２ｎを有する係止部５２ｌが設けられている。この係止部５２ｌは水平に穿孔された孔状であり、その内部にスプリング５２ｍを有しており、このスプリング５２ｍは閉鎖部材５２ｎを付勢している。そして、係止部５２ｌには、ロッド５２ｊの先端５２ｋに対応する位置に孔５２ｐが形成されている。一方、ドア本体５１からは、ドア本体の錠であるサムターン（図示せず）のラッチ５１ａが突出しており、このラッチ５１ａの先端近傍には孔５１ｂが形成されている。【００３１】  図１３に示すように、ドア本体５１をドア枠５２に係止し、サムターンを施錠すると、ラッチ５１ａの先端が閉鎖部材５２ｎを押圧して、ロッド５２ｊの先端５２ｋが孔５２ｐと孔５１ｂを貫通できるようになる。この状態において、金物５２ａを上方に引き上げると、５２ｊで連結された先端５２ｋが孔５２ｐと孔５１ｂを貫通し、ドア本体５１がドア枠５２にロックされた状態になる。この係止状態を解除するためには、ドア部５を閉鎖状態又は開放状態にして、金物５２ａを引き下げ、サムターンを開錠しなければならないため、ドア部５の回動状態において、ドア本体５１がドア枠５２から離脱することを防止することができる。【００３２】  次に、図１４及び図１５を参照しつつシャッター下降制限手段について説明する。このシャッター下降制限手段は、ドア部５の開放状態においてシャッター４を下降不能とし、ドア部５を閉鎖状態にするとシャッター４を下降可能とするものである。図１４は、ドア部５が開放状態にありシャッター４が下降不能の状態にあることを示し、また、図１５は、ドア部５が閉鎖状態にありシャッター４の下降が可能な状態にあることをしめしている。【００３３】  シャッター下降制限手段は、ドア枠５２の上端部に設けられている金具５２ｓと、金具５２ｓの上端位置に対応すると共に建築物側に設けられている孔１５ｂと、シリンダ部材１５ｄから構成されている。この孔１５ｂは、その内部に摺動部材１５ａを有し、また、シリンダ部材１５ｄは、その内部にはスプリング１５ｅと突出ピストン部材１５ｆを有している。そして、摺動部材１５ａと突出ピストン部材１５ｆとはワイヤ１５ｃにより連結されている。【００３４】  図１４に示すように、ドア部５が開放状態にある場合には、スプリング１５ｅの付勢力により突出ピストン部材１５ｆが突出しシャッター４の下端と干渉するため、シャッター４の下降が不能となる。一方、図１５に示すように、ドア部５が閉鎖状態にあり、金具５２ｓを引き上げると、金具５２ｓの先端が摺動部材１５ａを押し上げ、ワイヤ１５ｃを引き込む。このワイヤ１５ｃに連結されている突出ピストン部材１５ｆはシリンダ部材１５ｄの内部に引き込まれるためにシャッター４の下端と干渉しなくなり、シャッター４の下降が可能となる。従って、ドア枠５２が閉鎖状態ではない場合においてドア枠５２の案内手段４１ａから離脱した状態でのシャッター４の下降を防止することができる。【００３５】  図１６ないし図１９に第２実施形態を示す。本実施形態において、ドア部５は建築物の１階の内部に開放される。即ち、図１６及び図１７の状態においては、上記実施形態と同様であるが、図１８及び図１９に示すように、ドア部５が建築物の外側に回動するのではなく、建築物の１階の内側に回動し、且つ、この回動により、この１階の内壁の端部１１に係合する。この係合により、車庫が開放状態であっても第２の玄関を形成することができる。本実施形態では、第２の玄関を形成することにより開口２が全開状態の場合であっても防犯性を確保することができる。【００３６】  図２０ないし図２３に第３実施形態を示す。本実施形態において、ドア部５のドア枠５２は、耐震壁３に沿って側方にスライドするように構成されている。即ち、このドア枠５２は引戸のように作動してドア部５全体を移動する。本実施形態では、耐震壁３に沿ってドア部５が移動するために場所をとらないという利点がある。
【図面の簡単な説明】
【００３７】
【図１】本発明に係る第１実施形態のドア付シャッターを備えた建築物１の正面図である。
【図２】図１に示す建築物１の１階の平面図であり、ドア本体５１のみが開放され、シャッター４は閉鎖した状態が示されている。
【図３】図２に示すドア部５及びシャッター４周囲の部分拡大図である。
【図４】図１に示す建築物１の２階の平面図である。
【図５】図１に示す建築物１の正面図であり、ドア部５とシャッター４の全開状態を示している。
【図６】図１に示す建築物１の１階の平面図であり、ドア部５とシャッター４の全開状態を示している。
【図７】図６に示すドア部５及びシャッター４周囲の部分拡大図である。
【図８】図１に示す建築物１におけるドア枠５２の下方の断面説明図である。
【図９】図８に示すドア枠５２の下方の断面説明図であり、ドア本体５１を閉鎖状態にし、金物５２ａを引き上げた状態を示している。
【図１０】図８に示すドア枠５２の水平断面説明図である。
【図１１】図８に示すドア枠５２の水平断面説明図であり、ドア本体５１を閉鎖状態にし、金物５２ａを引き上げた状態を示している。
【図１２】図１に示す建築物１のドア枠５２の上方の断面図である。
【図１３】図１２に示すドア枠５２の断面図であり、ロッド５２ｊが引き上げられ、ドア本体５１が係止されている状態を示している。
【図１４】図１に示す建築物１のシャッター下降制限手段を示す断面説明図である。
【図１５】図１４に示すシャッター下降制限手段を示す断面説明図であり、ドア部５が閉鎖状態にありシャッター４の下降が可能な状態にあることを示している。
【図１６】本発明に係る第２実施形態のドア付シャッターを備えた建築物の１階の平面図であり、ドア本体５１のみが開放され、シャッター４は閉鎖した状態が示されている。
【図１７】図１６に示すドア部５及びシャッター４周囲の部分拡大図である。
【図１８】図１６に示す建築物の１階の平面図であり、ドア部５が建築物の１階の内側に回動し、且つ、この回動により、この１階の内壁の端部１１に係合した状態を示している。
【図１９】図１８に示すドア部５及びシャッター４周囲の部分拡大図である。
【図２０】本発明に係る第３実施形態のドア付シャッターを備えた建築物の１階の平面図であり、ドア本体５１のみが開放され、シャッター４は閉鎖した状態が示されている。
【図２１】図２０に示すドア部５及びシャッター４周囲の部分拡大図である。
【図２２】図２０に示す建築物の１階の平面図であり、ドア部５のドア枠５２が耐震壁３に沿って側方にスライドした状態を示している。
【図２３】図２２に示すドア部５及びシャッター４周囲の部分拡大図である。
【図２４】従来の２階建ての建築物における１階の平面図である。
【図２５】図２４に示す建築物の２階の平面図である。
【符号の説明】
【００３８】１  建築物
１２  孔
１５ａ  摺動部材
１５ｂ  孔
１５ｃ  ワイヤ
１５ｄ  シリンダ部材
１５ｅ  スプリング
１５ｆ  突出ピストン部材
２  開口
３  耐震壁
３ａ  ２階部分の壁面
４  シャッター
４１ａ  案内手段
５  ドア部
５１  ドア本体
５１ａ  ラッチ
５１ｂ  孔
５２  ドア枠
５２ａ  金物
５２ｂ  ドア枠下端
５２ｃ  挿入部
５２ｄ  金物
５２ｅ  当接面
５２ｆ  孔部
５２ｇ  付勢部
５２ｊ  ロッド
５２ｋ  先端
５２ｌ  係止部
５２ｍ  スプリング
５２ｎ  閉鎖部材
５２ｐ  孔
５２ｓ  金物
Ａ、Ｂ  柱
【図１】
2010077783.tif 000003
【図２】
2010077783.tif 000004
【図３】
2010077783.tif 000005
【図４】
2010077783.tif 000006
【図５】
2010077783.tif 000007
【図６】
2010077783.tif 000008
【図７】
2010077783.tif 000009
【図８】
2010077783.tif 000010
【図９】
2010077783.tif 000011
【図１０】
2010077783.tif 000012
【図１１】
2010077783.tif 000013
【図１２】
2010077783.tif 000014
【図１３】
2010077783.tif 000015
【図１４】
2010077783.tif 000016
【図１５】
2010077783.tif 000017
【図１６】
2010077783.tif 000018
【図１７】
2010077783.tif 000019
【図１８】
2010077783.tif 000020
【図１９】
2010077783.tif 000021
【図２０】
2010077783.tif 000022
【図２１】
2010077783.tif 000023
【図２２】
2010077783.tif 000024
【図２３】
2010077783.tif 000025
【図２４】
2010077783.tif 000026
【図２５】
2010077783.tif 000027